(57)【特許請求の範囲】
【請求項１】
被写体を撮影する撮影部と、
所定の配置領域に配置された、前記撮影部による撮影のための操作部と、
前記撮影部による撮影方向の鉛直方向における傾きを検出する傾き検出部と、
前記傾きに基づいて、前記操作部の配置を前記配置領域において変化させる制御部と、を備える
ことを特徴とするカメラ機能付き機器。
【請求項２】
請求項１に記載のカメラ機能付き機器において、
前記制御部は、前記配置を変化させる制御として、前記操作部の位置、大きさ、および形状のうち少なくとも１つを変化させる、
ことを特徴とするカメラ機能付き機器。
【請求項３】
請求項１または２に記載のカメラ機能付き機器において、
前記制御部は、前記撮影方向が水平面から上方向に傾く傾き角が第１の閾値を越える場合に、前記配置領域上における前記操作部の位置を前記傾き角に対応する位置に変化させる、
ことを特徴とするカメラ機能付き機器。
【請求項４】
請求項３に記載のカメラ機能付き機器において、
前記制御部は、前記傾き角が前記第１の閾値を越えない場合、前記操作部を前記配置領域上の初期位置に位置付ける、
ことを特徴とするカメラ機能付き機器。
【請求項５】
請求項１ないし４の何れか一項に記載のカメラ機能付き機器において、
前記操作部が操作されたときに操作音を出力する出力部をさらに備え、
前記出力部は、前記撮影方向が水平面から上方向に傾く傾き角が第２の閾値を越えた状態で前記操作部が操作されたときの前記操作音を、前記傾き角が前記第２の閾値を越えない状態で前記操作部が操作されたときの前記操作音と相違させる、
ことを特徴とするカメラ機能付き機器。
【請求項６】
被写体を撮影する撮影部と、
所定の配置領域に配置された、前記撮影部による撮影のための操作部と、
前記撮影部による撮影方向の鉛直方向における傾きを検出する傾き検出部と、
前記操作部の配置を前記配置領域において変化させる制御部と、
前記操作部が操作されたときに操作音を出力する出力部と、を備え、
前記出力部は、前記撮影方向が水平面から上方向に傾く傾き角が所定の閾値を越えた状態で前記操作部が操作されたときの前記操作音を、前記傾き角が前記閾値を越えない状態で前記操作部が操作されたときの前記操作音と相違させる、
ことを特徴とするカメラ機能付き機器。
【請求項７】
被写体を撮影する撮影部と、
所定の配置領域に配置された、前記撮影部による撮影のための操作部と、
前記操作部の配置を前記配置領域において変化させる制御部と、
前記撮影部が通常の前記撮影のために使用されると判断される所定の条件を保持する記憶部と、を備え、
前記制御部は、前記所定の条件が満たされる場合に、前記所定の条件が満たされない場合に比べて、前記操作部の前記配置の変化を抑制させる、
ことを特徴とするカメラ機能付き機器。
【請求項８】
請求項７に記載のカメラ機能付き機器において、
前記撮影部より取得される画像から人物の顔を検出する顔検出部をさらに備え、
前記条件は、前記顔検出部により前記顔が検出されることを含む、
ことを特徴とするカメラ機能付き機器。
【請求項９】
被写体を撮影する撮影部と、
所定の配置領域に配置された、前記撮影部による撮影のための操作部と、
前記操作部の配置を前記配置領域において変化させる制御部と、
前記撮影部による撮影の際に前記撮影部が向く方向と反対の方向を向く表示面と、
前記表示面に対する入力を受け付ける入力部と、を備え、
前記制御部は、前記操作部に対応する画像を前記表示面に表示するとともに、当該画像の配置を前記表示面において変化させる、
ことを特徴とするカメラ機能付き機器。
【請求項１０】
被写体を撮影する撮影部を備えるカメラ機能付き機器のコンピュータに、
所定の配置領域に、前記撮影部による撮影のための操作部を設ける機能と、
前記撮影部による撮影方向の鉛直方向における傾きを検出する機能と、
前記傾きに基づいて、前記操作部の配置を前記配置領域において変化させる機能と、を実行させる、
ことを特徴とするプログラム。
【請求項１１】
被写体を撮影する撮影部を備えるカメラ機能付き機器の盗撮防止制御方法において、
所定の配置領域に、前記撮影部による撮影のための操作部を配置するステップと、
前記撮影部による撮影方向の鉛直方向における傾きを検出するステップと、
前記傾きに基づいて、前記操作部の配置を前記配置領域において変化させるステップと、を含む、
ことを特徴とする盗撮防止制御方法。
【発明の詳細な説明】
【技術分野】
【０００１】
本発明は、デジタルカメラ、デジタルビデオカメラ、携帯電話機、ＰＤＡ（Personal Digital Assistant）、タブレットＰＣ（Tablet PC）等のカメラ機能付き機器、および当該カメラ機能付き機器に用いて好適なプログラムと盗撮防止制御方法に関するものである。
【背景技術】
【０００２】
デジタルカメラ等のカメラ機能付き機器では、従来より、盗撮の防止が課題となっている。そこで、盗撮を防止するため、カメラ機能付き機器の傾きに応じて撮影を禁止する機能を備えたカメラ機能付き機器が提案されている（特許文献１参照）。
【先行技術文献】
【特許文献】
【０００３】
【特許文献１】特開２００５−２６０８２３号公報
【発明の概要】
【発明が解決しようとする課題】
【０００４】
しかしながら、上記の盗撮防止機能では、盗撮を目的としないような撮影までもが禁止されることが起こり得る。たとえば、被写体となっていることを予め認識している人物をローアングルから撮影できない虞がある。
【０００５】
このように盗撮ではない適正な撮影が禁止されると、カメラ機能付き機器を用いた撮影の利便性が低下する。
【０００６】
そこで、本発明は、撮影の利便性を保ちつつ、盗撮行為を抑制できるカメラ機能付き機器、プログラムおよび盗撮防止制御方法を提供することを目的とする。
【課題を解決するための手段】
【０００７】
本発明の第１の態様に係るカメラ機能付き機器は、被写体を撮影する撮影部と、所定の配置領域に配置された、前記撮影部による撮影のための操作部と、前記撮影部による撮影方向の鉛直方向における傾きを検出する傾き検出部と、前記傾きに基づいて、前記操作部の配置を前記配置領域において変化させる制御部と、を備える。
【０００８】
本態様に係るカメラ機能付き機器において、前記制御部は、前記配置を変化させる制御として、前記操作部の位置、大きさ、および形状のうち少なくとも１つを変化させ得る。
【００１０】
また、本態様に係るカメラ機能付き機器において、前記制御部は、前記撮影方向が水平面から上方向に傾く傾き角が第１の閾値を越える場合に、前記配置領域上における前記操作部の位置を前記傾き角に対応する位置に変化させ得る。
【００１１】
また、本態様に係るカメラ機能付き機器において、前記制御部は、前記傾き角が前記第１の閾値を越えない場合、前記操作部を前記配置領域上の初期位置に位置付け得る。
【００１２】
本態様に係るカメラ機能付き機器は、前記操作部が操作されたときに操作音を出力する出力部をさらに備え得る。この場合、前記出力部は、前記撮影方向が水平面から上方向に傾く傾き角が第２の閾値を越えた状態で前記操作部が操作されたときの前記操作音を、前記傾き角が前記第２の閾値を越えない状態で前記操作部が操作されたときの前記操作音と相違させる。
本発明の第２の態様に係るカメラ機能付き機器は、被写体を撮影する撮影部と、所定の配置領域に配置された、前記撮影部による撮影のための操作部と、前記撮影部による撮影方向の鉛直方向における傾きを検出する傾き検出部と、前記操作部の配置を前記配置領域において変化させる制御部と、前記操作部が操作されたときに操作音を出力する出力部と、を備える。ここで、前記出力部は、前記撮影方向が水平面から上方向に傾く傾き角が所定の閾値を越えた状態で前記操作部が操作されたときの前記操作音を、前記傾き角が前記閾値を越えない状態で前記操作部が操作されたときの前記操作音と相違させる。
【００１３】
本発明の第３の態様に係るカメラ機能付き機器は、被写体を撮影する撮影部と、所定の配置領域に配置された、前記撮影部による撮影のための操作部と、前記操作部の配置を前記配置領域において変化させる制御部と、前記撮影部が通常の前記撮影のために使用されると判断される所定の条件を保持する記憶部と、を備える。ここで、前記制御部は、前記所定の条件が満たされる場合に、前記所定の条件が満たされない場合に比べて、前記操作部の前記配置の変化を抑制させる。
【００１４】
また、本態様に係るカメラ機能付き機器は、前記撮影部より取得される画像から人物の顔を検出する顔検出部をさらに備え得る。この場合、前記条件は、前記顔検出部により前記顔が検出されることを含む。
【００１５】
本発明の第４の態様に係るカメラ機の付き機器は、被写体を撮影する撮影部と、所定の配置領域に配置された、前記撮影部による撮影のための操作部と、前記操作部の配置を前記配置領域において変化させる制御部と、前記撮影部による撮影の際に前記撮影部が向く方向と反対の方向を向く表示面と、前記表示面に対する入力を受け付ける入力部と、を備える。ここで、前記制御部は、前記操作部に対応する画像を前記表示面に表示するとともに、当該画像の配置を前記表示面において変化させる。
【００１６】
本発明の第５の態様は、プログラムに関する。本態様に係るプログラムは、被写体を撮影する撮影部を備えるカメラ機能付き機器のコンピュータに、所定の配置領域に、前記撮影部による撮影のための操作部を設ける機能と、前記撮影部による撮影方向の鉛直方向における傾きを検出する機能と、前記傾きに基づいて、前記操作部の配置を前記配置領域において変化させる機能と、を実行させる。
【００１７】
本発明の第６の態様は、被写体を撮影する撮影部を備えるカメラ機能付き機器の盗撮防止制御方法に関する。本態様に係る盗撮防止制御方法は、所定の配置領域に、前記撮影部による撮影のための操作部を配置するステップと、前記撮影部による撮影方向の鉛直方向における傾きを検出するステップと、前記傾きに基づいて、前記操作部の配置を前記配置領域において変化させるステップを含む。
【発明の効果】
【００１８】
本発明によれば、撮影の利便性を保ちつつ、盗撮行為を抑制できるカメラ機能付き機器、プログラムおよび盗撮防止制御方法を提供することができる。
【００１９】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２０】
【図１】実施の形態に係る、携帯電話機の外観構成を示す図である。
【図２】実施の形態に係る、携帯電話機の全体構成を示すブロック図である。
【図３】実施の形態に係る、静止画像の撮影のための処理手順を示すフローチャートである。
【図４】実施の形態に係る、図３に示される処理の実行中における、撮影方向、撮影方向の傾き角、および撮影ボタンの配置について説明するための表である。
【図５】変更例１に係る、静止画像の撮影のための処理手順を示すフローチャートである。
【図６】変更例１に係る、撮影ボタンの配置の遷移を説明するための表である。
【図７】変更例２に係る、静止画像の撮影のための処理手順を示すフローチャートである。
【図８】変更例３に係る、静止画像の撮影のための処理手順を示すフローチャートである。
【図９】変更例４および変更例５に係る、撮影のための処理手順を示すフローチャートである。
【図１０】変更例６に係る、静止画像の撮影のための処理手順を示すフローチャートである。
【図１１】その他の変更例に係る、表示面に表示される撮影ボタンの位置および大きさが、傾き角に応じて変化する例を示す図である。
【図１２】その他の変更例に係る、撮影ボタンの配置の遷移について説明するための表である。
【図１３】その他の変更例に係る、静止画像の撮影のための処理手順を示すフローチャートである。
【図１４】その他の変更例に係る、撮影ボタンがハードキーである場合における撮影ボタンの配置の遷移について説明するための図である。
【発明を実施するための形態】
【００２１】
以下、本発明の実施の形態について、図面を参照して説明する。
【００２２】
図１（ａ）、（ｂ）は、携帯電話機１の外観構成を示す図である。図１（ａ）、（ｂ）は、それぞれ、正面図および側面図である。
【００２３】
携帯電話機１は、長方形状を有する厚みが小さなキャビネット１０を有する。キャビネット１０の正面側には、タッチパネルが配されている。タッチパネルは、ディスプレイ１１と、ディスプレイ１１に重ねられるタッチセンサ１２とを備える。
【００２４】
ディスプレイ１１は、液晶ディスプレイであり、後述の液晶パネル１１ａと、液晶パネル１１ａの背面側に配されたパネルバックライト１１ｂと、を備えている（図２参照）。液晶パネル１１ａは、画像を表示するための表示面１１ｃを有する。パネルバックライト１１ｂは、液晶パネル１１ａを照明する。
【００２５】
なお、ディスプレイ１１は、液晶ディスプレイに限らず、有機ＥＬディスプレイ等他の表示装置であってもよい。
【００２６】
タッチセンサ１２は、表示面１１ｃの上に配される。タッチセンサ１２は、表示面１１ｃに対する入力位置を検出する。タッチセンサ１２は透明なシート状に形成されており、タッチセンサ１２を透して表示面１１ｃを見ることができる。
【００２７】
タッチセンサ１２は、静電容量式のタッチセンサであり、マトリクス状に配された第１透明電極、第２透明電極およびカバーを備えている。タッチセンサ１２は、第１および第２透明電極間の静電容量の変化を検出することによって、ユーザが触れた表示面１１ｃ上の位置を入力位置として検出し、この入力位置に応じた位置信号を後述のＣＰＵ１００へ出力する。なお、表示面１１ｃに触れるとは、実際には、上記カバーを触れることである。
【００２８】
ユーザは、自身の指またはペン等の接触部材（以下、単に「指」と言う。）によって表示面１１ｃを触れることにより、タップ、スライド、フリック等の各種の操作を行える。
【００２９】
なお、タッチセンサ１２は、静電容量式のタッチセンサ１２に限らず、超音波式、感圧式、抵抗膜式、光検知式等のタッチセンサ１２であってもよい。
【００３０】
タッチパネルの下方（Ｙ軸の負方向）には、設定キー１３ａ、ホームキー１３ｂ、バックキー１３ｃから構成されているキー操作部１３が設けられている。設定キー１３ａは、主に各種設定を行う設定画面を表示面１１ｃに表示させるためのキーである。ホームキー１３ｂは、主にホーム画面を表示面１１ｃに表示させるためのキーである。バックキー１３ｃは、主に表示面１１ｃ上の画面の表示状態を１ステップ前の状態に戻すためのキーである。
【００３１】
キャビネット１０の正面側には、下部にマイクロホン（以下、「マイク」と言う。）１４が配されており、上部にスピーカ１５が配されている。ユーザは、スピーカ１５からの音声を聞き、マイク１４に対して音声を発することにより通話できる。
【００３２】
また、キャビネット１０の背面側には、周囲にいる人が聞き取れる程度の音量の音声を出力するスピーカ１５ａが配されている。たとえば、スピーカ１５ａから、カメラモジュール１６（後述）による撮影が行われることを周囲へ通知するためのシャッター音等が出力される。
【００３３】
キャビネット１０の背面側には、カメラモジュール１６が配されている。キャビネット１０の背面には、レンズ窓が配されており、撮影方向Ｖ（図１（ｂ）の矢印参照）、すなわちレンズ窓が向く方向にある被写体の像が、レンズ窓からカメラモジュール１６に取り込まれる。なお、表示面１１ｃは、撮影方向Ｖと反対の方向を向くよう配されている。
【００３４】
カメラモジュール１６は、レンズ窓から入射した光の像を撮像するＣＣＤ、ＣＭＯＳセンサ等の撮像素子を有する。カメラモジュール１６は、撮像素子から出力された撮像信号をデジタル化し、そのデジタル信号にガンマ補正等の各種補正を施して、後述の映像エンコーダへ出力する。
【００３５】
図２は、携帯電話機１の全体構成を示すブロック図である。携帯電話機１は、上述の構成要素の他、ＣＰＵ１００、メモリ１０１、画像処理回路１０２、キー入力回路１０３、音声エンコーダ１０４、音声デコーダ１０５、映像エンコーダ１０６、通信モジュール１０７、加速度センサ１０８、タイマ１０９を備える。
【００３６】
画像処理回路１０２は、ＣＰＵ１００から入力された制御信号に従って、ディスプレイ１１に表示される画像を生成し、画像データを画像処理回路１０２に備えられているＶＲＡＭ１０２ａに記憶させる。
【００３７】
画像処理回路１０２は、ＶＲＡＭ１０２ａに記憶された画像データを含む画像信号を、ディスプレイ１１へ出力する。また、画像処理回路１０２は、ディスプレイ１１を制御するための制御信号を出力し、ディスプレイ１１のパネルバックライト１１ｂを点灯または消灯させる。パネルバックライト１１ｂから放出された光が、画像信号に基づいて液晶パネル１１ａにより変調されることにより、ディスプレイ１１の表示面１１ｃに画像が表示される。
【００３８】
キー入力回路１０３は、キー操作部１３を構成する各キー１３ａ〜１３ｃの押下に応じた信号をＣＰＵ１００へ出力する。
【００３９】
音声エンコーダ１０４は、集音した音声に基づいてマイク１４が生成した電気信号をデジタル音声信号に変換し、ＣＰＵ１００へ出力する。
【００４０】
音声デコーダ１０５は、ＣＰＵ１００からの音声信号にデコード処理およびＤ／Ａ変換を施し、変換したアナログの音声信号をスピーカ１５、１５ａに出力する。
【００４１】
映像エンコーダ１０６は、カメラモジュール１６からの信号にエンコード処理を施してＣＰＵ１００へ出力する。
【００４２】
通信モジュール１０７は、通話や通信のための電波を送受信するアンテナを備える。通信モジュール１０７は、ＣＰＵ１００から入力される通話や通信のための信号を無線信号に変換し、変換された無線信号を、アンテナを介して、基地局や他の通信装置等の通信先へ送信する。また、通信モジュール１０７は、アンテナを介して受信した無線信号をＣＰＵ１００が利用できる形式の信号へ変換し、変換された信号をＣＰＵ１００へ出力する。
【００４３】
加速度センサ１０８は、携帯電話機１に係る加速度を検出する。加速度センサ１０８は３軸加速度センサであり、図１（ａ）のＸ軸方向、Ｙ軸方向およびＺ軸方向の３方向に生じる加速度を検出する。加速度センサ１０８は、検出した加速度に応じた加速度信号をＣＰＵ１００へ出力する。
【００４４】
携帯電話機１が静止状態にあるときには、携帯電話機１に加わる重力加速度が加速度センサ１０８により検出される。ＣＰＵ１００は、重力加速度に基づき上述の撮影方向Ｖを検出する。
【００４５】
メモリ１０１は、ＲＯＭおよびＲＡＭを含む。メモリ１０１には、ＣＰＵ１００に制御機能を付与するための制御プログラムと、各種のアプリケーション・プログラム（以下、「アプリケーション」と言う。）が記憶されている。たとえば、メモリ１０１には、通話、静止画像の撮影、動画の撮影等、各種のアプリケーションが記憶されている。
【００４６】
また、メモリ１０１は、アプリケーションの実行の際、一時的に利用または生成される各種のデータを記憶するワーキングメモリとしても使用される。
【００４７】
また、メモリ１０１は、撮影した静止画像を記憶する。具体的には、メモリ１０１は、カメラモジュール１６より取得される画像（以下、「撮影画像」と言う。）に基づく静止画像を、メモリ１０１上に構築されたファイルシステムにおける、所定のフォルダに保存することによって、記憶する。
【００４８】
ＣＰＵ１００は、制御プログラムに従って、カメラモジュール１６、マイク１４、通信モジュール１０７、ディスプレイ１１、スピーカ１５、１５ａ等、各構成要素を制御することにより、各種のアプリケーションを実行する。
【００４９】
静止画像の撮影の場合、ＣＰＵ１００は、静止画像の撮影のためのアプリケーションを実行する。実行の際、ＣＰＵ１００は、カメラモジュール１６より撮影画像を取得し、随時、表示面１１ｃに表示する。ここで、撮影のための操作は、表示面１１ｃに表示される撮影ボタン（後述）を押下（タッチ）する操作である。撮影のための操作がなされた場合、ＣＰＵ１００は、当該操作がなされた時の撮影画像を静止画像として取得し、当該静止画像を上記所定のフォルダに保存する。
【００５０】
なお、静止画像の撮影のためのアプリケーションは、撮影した静止画像を、外部の記憶媒体（ＳＤカード等）や、有線または無線の通信網を介して接続される記憶装置等、メモリ１０１以外の記憶部に記憶できるよう構成されてもよい。
【００５１】
さて、本携帯電話機１は、静止画像の撮影の場合、撮影ボタンの配置を変化させる機能を備える。以下、撮影ボタン２０１の配置の変化に係る処理を含む、静止画像の撮影のための処理について詳述する。
【００５２】
図３は、静止画像の撮影のための処理手順を示すフローチャートである。ユーザにより、静止画像の撮影のためのアプリケーションを起動するための所定の操作（たとえば、当該アプリケーションに対応するアイコンをタップする操作）がなされると、図３に示される処理が実行される。
【００５３】
ＣＰＵ１００は、まず、カメラモジュール１６を起動し（Ｓ１０１）、以後、表示面１１ｃに、上述の撮影画像を随時更新して表示する。次に、ＣＰＵ１００は、撮影ボタン２０１の初期設定および初期表示を行う（Ｓ１０２）。
【００５４】
ここで、撮影ボタン２０１は、表示面１１ｃに画像として表示された、静止画像の撮影のための操作を受け付けるボタンである。撮影ボタン２０１が表示面１１ｃに表示されることにより、当該撮影ボタン２０１の配置が通知される。
【００５５】
図４は、図３に示される処理の実行中における、撮影方向Ｖ、撮影方向Ｖの水平面に対する傾き角θ、および撮影ボタン２０１の配置について説明するための表である。
【００５６】
なお、図４において、一点鎖線は、水平面の方向を示す。傾き角θは、‐９０度から＋９０度の範囲の値を取り得る。θ＝０°は、撮影方向Ｖが水平方向を向くことを示す。θ＝＋９０°は、撮影方向Ｖが真上に傾くことを示す。θ＝‐９０°は、撮影方向Ｖが真下に傾くことを示す。
【００５７】
実際には、表示面１１ｃ上において撮影ボタン２０１の下に撮影画像が表示されるが、図４では、便宜上、撮影画像の図示が省略されている。図６、図１１および図１２についても同様である。
【００５８】
図３のステップＳ１０２と図４を参照して、ＣＰＵ１００は、図４の左側の列（θ＝０°）に示されているように、撮影ボタン２０１を、表示面１１ｃの下端の位置に表示するよう初期設定するとともに、当該下端の位置に撮影ボタン２０１を表示する。表示面１１ｃの下端の位置が、撮影ボタン２０１の初期位置となる。なお、撮影ボタン２０１は、表示面１１ｃに表示されている撮影画像の上に重ねて表示される。
【００５９】
次に、ＣＰＵ１００は、鉛直方向における撮影方向に基づいて、表示面１１ｃにおいて撮影ボタン２０１を移動させる。具体的には、ＣＰＵ１００は、加速度センサ１０８を用いて検出した撮影方向Ｖに基づき上述の傾き角θを取得し（Ｓ１０３）、撮影ボタン２０１を、傾き角θに応じた位置へ移動させる（Ｓ１０４）。この際、ＣＰＵ１００は、撮影ボタン２０１の移動後も、撮影ボタン２０１に対する操作を受付可能な状態を保つ。
【００６０】
ステップＳ１０４において、撮影ボタン２０１の表示位置は、以下のように設定される。θ＜０である場合、撮影ボタン２０１の位置は初期位置に設定される。０≦θ＜９０°である場合、撮影ボタン２０１の移動先の位置は、初期位置を基準として傾き角θに略比例した距離だけ初期位置より上側（Ｙ軸正方向）の位置に設定される。たとえば、図４の表における中央の列に示す如く、撮影方向Ｖが水平面に対して斜め上に傾くことによって傾き角θ＝４５°が取得された場合、撮影ボタン２０１の表示位置は、表示面１１ｃの略中央に設定される。θ＝９０°である場合、撮影ボタン２０１の表示位置は、表示面１１ｃの上端の位置（図４の右側の列における撮影ボタン２０１の位置参照）に設定される。
【００６１】
ステップＳ１０５において、ＣＰＵ１００は、撮影のための操作がなされたか否かを判定する。ユーザが撮影ボタン２０１を押下した場合（Ｓ１０５：ＹＥＳ）、ＣＰＵ１００は、周囲へ撮影が行われていることを通知するためのシャッター音等の撮影音（操作音）
を、スピーカ１５ａから再生する（Ｓ１０６）。さらに、ＣＰＵ１００は、撮影ボタン２０１が押下された時における撮影画像を静止画像として取得し、メモリ１０１へ記憶させる。
【００６２】
なお、静止画像を保存する際（Ｓ１０７）、ＣＰＵ１００は、静止画像の保存の要否を、ユーザへ問い合わせる。撮影画像の保存を許可する操作がなされた場合、ＣＰＵ１００は、上述の如く静止画像を保存する。撮影画像の保存を許可しない操作がなされた場合、ＣＰＵ１００は、保存の対象であった静止画像を破棄する。
【００６３】
ステップＳ１０７の処理の実行後、または撮影のための操作がなされなない場合（Ｓ１０５：ＮＯ）、ＣＰＵ１００は、Ｓ１０８の処理へ進む。ステップＳ１０８において、ＣＰＵ１００は、静止画像の撮影のためのアプリケーションを終了するための操作がなされたか否かを判定する。終了のための操作がない場合（Ｓ１０８：ＮＯ）、ＣＰＵ１００は、ステップＳ１０３の処理へ戻る。終了のための操作がなされない間（Ｓ１０８：ＹＥＳ）、撮影ボタン２０１を傾き角θに基づいて移動させるための処理（Ｓ１０３、Ｓ１０４）が、繰り返し実行される。
【００６４】
終了のための操作がなされた場合（Ｓ１０８：ＹＥＳ）、ＣＰＵ１００は、カメラモジュール１６から撮影画像を取り込むための動作を停止し（Ｓ１０９）、当該アプリケーションを終了する。
【００６５】
このように、撮影のための操作が待ち受けられている間、ＣＰＵ１００は、撮影ボタン２０１を、傾き角θに応じた位置に表示する。
【００６６】
以上、本実施の形態によれば、ＣＰＵ１００は、撮影のための操作を待ち受けている間、表示面１１ｃに表示させた撮影ボタン２０１の配置を変化させる。盗撮を試みる者は、表示面１１ｃを継続的に視認することは容易ではない。このため、盗撮を試みる者は撮影ボタン２０１の位置を特定できにくく、撮影のための操作を行うことが難しい。つまり、本実施の形態によれば、盗撮行為が抑制される。
【００６７】
その一方で、ユーザが通常の撮影すなわち盗撮を目的としない撮影を行う場合、撮影ボタン２０１が撮影方向Ｖと反対の方向を向く表示面１１ｃに表示され、ユーザはこのように表示された撮影ボタン２０１を視認できる。このため、ユーザは、撮影ボタン２０１の表示位置を容易に特定でき、撮影ボタン２０１の押下により容易に撮影のための操作を行える。つまり、撮影の利便性が保たれる。
【００６８】
よって、盗撮を目的としない撮影の利便性を保ちつつ、盗撮行為を抑制できる。
【００６９】
さらに、本実施の形態の構成によれば、撮影方向Ｖが上に傾くほど撮影ボタン２０１が初期位置から離れて配置される。たとえば、盗撮を試みる者が女性のスカート内を盗撮しようとする場合、撮影方向Ｖは上に傾き、撮影ボタン２０１は、初期位置から離れた位置に表示される。このように、携帯電話機１が盗撮行為の可能性が高い状態になると、撮影ボタン２０１が通常の位置(初期位置)から離れることになるので、盗撮行為がより抑制される。
【００７０】
また、たとえば上述の如くスカート内を盗撮することを試みる者は、撮影方向Ｖが上方向へ傾く状態の携帯電話機１を低い位置において使用する場合がある。このとき、撮影ボタン２０１は下方向へ傾く状態にある表示面１１ｃ上に表示されるため、盗撮を試みる者は撮影ボタン２０１を視認できない。よって、撮影ボタン２０１の押下が困難となり、盗撮行為がより抑制される。
【００７１】
また、撮影方向Ｖの傾きに基づいて、撮影ボタン２０１が移動する構成とした場合、盗撮を試みる者が盗撮を行おうとする際に撮影方向Ｖの傾きを一定にしておくことは難しいため、撮影ボタン２０１が頻繁に移動することになる。よって、撮影を試みる者が撮影ボタン２０１を押下することが一層難しくなり、撮影抑制効果が高まる。
【００７２】
なお、撮影ボタン２０１の移動のための処理（Ｓ１０４）における撮影ボタン２０１の移動の態様は、あくまでも一例である。撮影方向Ｖの傾き角θに基づき表示面１１ｃにおいて縦方向（Ｙ軸方向）へ撮影ボタン２０１を移動する構成に限らず、横方向（Ｘ軸方向）や斜め方向へ撮影ボタン２０１を移動する構成、曲線に沿って撮影ボタン２０１を移動する構成等、各種の態様で撮影ボタン２０１を移動させる構成が採られてもよい。
【００７３】
＜変更例１＞
図５は、変更例１に係る、静止画像の撮影のための処理手順を示すフローチャートである。
【００７４】
図５のフローチャートでは、図３に示すフローチャートのステップＳ１０３、Ｓ１０４の処理が、ステップＳ１１１、Ｓ１１２の処理に置換される。
【００７５】
図６は、本変更例に係る、撮影ボタン２０１の位置の、時間経過に伴う変化を説明するための表である。図６の表における左側、中央、および右側の列は、それぞれ、撮影ボタン２０１が初期表示された直後（０秒後）、Ｔ秒後、および２Ｔ秒後における、表示面１１ｃ上での撮影ボタン２０１の表示位置を示す。
【００７６】
上記実施の形態と同様、ＣＰＵ１００は、ステップＳ１０２において、図６の表における左側の列に示す如く、撮影ボタン２０１を初期位置に表示する。なお、本変更例では、ステップＳ１０２において、ＣＰＵ１００は、計時のためタイマ１０９をスタートさせる。
【００７７】
ステップＳ１１１において、ＣＰＵ１００は、計時する時間が、所定周期（Ｔ秒。たとえば、数秒〜十数秒程度）を経過したか否かを判定する。時間が所定周期Ｔ秒を経過しない場合（Ｓ１１１：ＮＯ）、後段のステップＳ１１２をスキップして、ステップＳ１０５へ進む。たとえば、上述の撮影ボタン２０１の初期表示直後（Ｔ秒が経過する前）においては、ステップＳ１１１においてＮＯと判定される。
【００７８】
時間が所定周期Ｔ秒以上経過した場合（Ｓ１１１：ＹＥＳ）、ＣＰＵ１００は、ステップＳ１１２において、撮影ボタン２０１を不規則的に移動させるとともに、タイマ１０９をリセットし、計時を０秒から再開する。これにより、ステップＳ１１２の処理は、Ｔ秒経過する毎に実行される。
【００７９】
なお、撮影ボタン２０１を不規則的に移動させるとは、具体的には、ＣＰＵ１００は、撮影ボタン２０１を、ユーザが安易に予測できないような位置へ移動させることである。ユーザが安易に予測できないような位置は、乱数、疑似乱数、撮影ボタン２０１の移動のルールを定めた座標の配列等に基づいて、ＣＰＵ１００により設定される。
【００８０】
なお、上述の如く撮影ボタン２０１の位置を変化させる際、撮影ボタン２０１が一度に移動される距離は、撮影ボタン２０１の位置の特定が困難となるよう、移動幅が大きく設定されてもよいし、また、視認による撮影ボタン２０１の追跡が容易となるよう、移動幅が小さく設定されてもよい。
【００８１】
また、撮影ボタン２０１が連続的に移動して見えるよう、所定周期Ｔが小さく（たとえば、数百ミリ秒程度）設定され、且つ、撮影ボタン２０１が一度に移動される距離が小さく（たとえば、数ピクセル〜数百ピクセル程度）に設定されてもよい。
【００８２】
以上、本変更例の構成によれば、ＣＰＵ１００は、撮影のための操作を待ち受けている間、撮影ボタン２０１が設けられる領域である表示面１１ｃにおいて、撮影ボタン２０１を不規則的に移動させる。具体的には、ＣＰＵ１００は、撮影ボタン２０１の位置を、所定周期Ｔ秒毎に不規則的に変化させる。上述の如く、盗撮を試みる者は、不規則的に移動する撮影ボタン２０１の位置を、視認により特定できない。このため、盗撮を試みる者は撮影ボタン２０１の位置を特定できにくく、撮影のための操作を行うことが難しい。つまり、盗撮行為が抑制される。
【００８３】
その一方で、上記実施の形態と同様、ユーザが盗撮を目的としない撮影を行う場合、ユーザは、撮影ボタン２０１の表示位置を容易に特定でき、撮影ボタン２０１の押下により容易に撮影のための操作を行える。つまり、撮影の利便性が保たれる。
【００８４】
よって、盗撮を目的としない撮影の利便性を保ちつつ、盗撮行為を抑制できる。
【００８５】
＜変更例２＞
図７は、変更例２に係る、静止画像の撮影のための処理手順を示すフローチャートである。
【００８６】
図７のフローチャートでは、図３のフローチャートにおけるステップＳ１０３の処理の前段にステップＳ１２１の判定処理が挿入され、さらに、ステップＳ１２１の判定処理に続いて実行されるステップＳ１２２の処理が追加される。
【００８７】
ステップＳ１０２またはＳ１０８の処理の実行後、ＣＰＵ１００は、ステップＳ１２１の判定処理を実行する。当該判定条件は、カメラモジュール１６が、盗撮を目的としないような、通常の撮影のために使用されると判断するための条件である。この判定条件は、たとえば静止画像の撮影のためのアプリケーションとともに、予めメモリ１０１に保持されている。
【００８８】
ステップＳ１２１では、撮影ボタン２０１の移動（Ｓ１０４）を中止するか否かを判定する判定処理が実行される。当該判定処理に係る判定条件は、具体的には、随時カメラモジュール１６から取得される撮影画像において、人物の顔が検出されるか否かの条件である。
【００８９】
以下に、ステップＳ１２１の判定処理の内容を、例を用いて説明する。
【００９０】
携帯電話機１が人物の顔へ向けられた場合、撮影画像は人物の顔の画像を含む。ＣＰＵ１００は、撮影画像から人物の顔を検出した場合（Ｓ１２１：ＹＥＳ）、撮影ボタン２０１の位置を初期位置へ戻す（Ｓ１２２）。そして、ステップＳ１０５の処理へ進む。なお、撮影ボタン２０１が初期位置にあった場合には、初期位置に維持される。
【００９１】
他方、撮影画像が人物の顔の画像を含まない場合、ＣＰＵ１００は、このような撮影画像から人物の顔を検出しない（Ｓ１２１：ＮＯ）。この場合、ＣＰＵ１００は、ステップＳ１０３の処理へ進む。たとえば、ユーザが、人物を下方または背後から撮影する場合、または建築物を撮影する場合には、撮影画像は人物の顔の画像を含まないため、ステップＳ１２１においてＮＯと判定される。
【００９２】
上述の人物の顔を検出するための処理（Ｓ１２１）は、たとえば、以下のようにして、実行される。
【００９３】
ＣＰＵ１００は、撮影画像において、主に肌色からなる部分画像を抽出し、さらに、抽出した部分画像において、目、鼻、口、シワ等の顔の特徴部分を、当該部分画像の色彩、彩度等の分布に基づいて検出する。ＣＰＵ１００は、当該部分画像に、一定の割合で顔の特徴部分が含まれることを検出した場合、当該撮影画像から人物の顔の画像が検出されたと判定する（Ｓ１２１：ＹＥＳ）。ＣＰＵ１００は、撮影画像より一定の割合で顔の特徴部分が検出されなかった場合、撮影画像から人物の顔が検出されないと判定する（Ｓ１２１：ＮＯ）。
【００９４】
以上、本変更例の構成によれば、ＣＰＵ１００は、所定の判定条件が満たされる場合、すなわち撮影画像において人物の顔が検出される場合、撮影ボタン２０１の変化を抑制する、すなわち移動を中止する。さらに、ＣＰＵ１００は、撮影ボタン２０１の位置を初期位置へ戻す。
【００９５】
たとえば、撮影画像から人物の顔が検出されるような撮影が行われる場合、当該撮影は、盗撮を目的としない撮影である蓋然性が高い。本変更例の構成によれば、このように盗撮を目的としない通常の撮影が行われている蓋然性が高いと考えられる場面において、撮影ボタン２０１の移動が中止される。これによって、通常の撮影を行うユーザは、静止した状態で表示面１１ｃに表示されている撮影ボタン２０１を視認することにより、容易に撮影のための操作を行える。
【００９６】
たとえ撮影方向Ｖが上に傾くような状態で携帯電話機１による撮影が行われたとしても、ユーザが人物の顔を含む被写体を撮影しているときには、撮影ボタン２０１は表示面１１ｃに静止した状態で表示される。
【００９７】
よって、盗撮を目的としない撮影が行われている蓋然性が高い場合における、撮影の利便性が良好に保たれる。
【００９８】
さらに、本変更例では、撮影画像において人物の顔が検出される場合には、上述の如く撮影ボタン２０１が初期位置に表示される（Ｓ１２２）。ユーザは、撮影ボタン２０１を平常時と同じ位置にあることを視認でき、よって、撮影の利便性が保たれる。
【００９９】
＜変更例３＞
上記変更例２における顔の検出に係る構成は、以下に説明するように、上記変更例１（図５参照）にも適用可能である。
【０１００】
図８は、変更例３に係る、静止画像の撮影のための処理手順を示すフローチャートである。
【０１０１】
図８のフローチャートでは、図５のフローチャートにおけるステップＳ１１１の処理の前段に、ステップＳ１２１の判定処理が挿入され、さらに、ステップＳ１２１の判定処理に続いて実行されるステップＳ１２２の処理が追加される。
【０１０２】
なお、図８に示されたステップＳ１２１、Ｓ１２２の処理は、それぞれ、上記変更例２に係る、図７に示されたステップＳ１２１、Ｓ１２２の処理に同じである。
【０１０３】
ステップＳ１０２またはＳ１０８の処理の後、ＣＰＵ１００は、ステップＳ１２１の、顔の検出に係る判定処理を実行する。撮影画像から人物の顔が検出された場合（Ｓ１２１
：ＹＥＳ）、ＣＰＵ１００は、上記変更例２と同様、撮影ボタン２０１の位置を初期位置へ移動し（Ｓ１２２）、さらにステップＳ１０５の処理へ進む。撮影画像から人物の顔が検出されない場合（Ｓ１２１：ＮＯ）、ＣＰＵ１００は、ステップＳ１１１の処理へ進む。
【０１０４】
以上、本変更例の構成によれば、撮影画像から人物の顔が検出された場合、撮影ボタン２０１の配置の変化が抑制される。具体的には、撮影ボタン２０１の不規則的な移動が中止される。このため、ユーザが人物の顔を含む被写体を撮影する場合、ユーザは、静止した状態で表示面１１ｃに表示される撮影ボタン２０１を視認することにより、容易に撮影のための操作を行える。
【０１０５】
よって、盗撮を目的としない撮影が行われている蓋然性が高い場合における、撮影の利便性が良好に保たれる。
【０１０６】
＜変更例４＞
変更例４では、撮影方向Ｖが水平面方向を含む所定範囲に含まれることに基づいて、盗撮を目的としない撮影が行われている蓋然性が高いと判定され、撮影ボタン２０１の配置の変化を中止する構成が採られる。
【０１０７】
図９（ａ）は、変更例４に係る、静止画像の撮影のための処理手順を示すフローチャートである。図９（ａ）のフローチャートでは、図３のフローチャートにおけるステップＳ１０４の前段にステップＳ１３１の判定処理が挿入され、さらに、ステップＳ１３１の判定処理に続いて実行されるステップＳ１３２の処理が追加される。なお、図９（ａ）のフローチャートにおいて、ステップＳ１０４、Ｓ１３１およびＳ１３２以外の処理は図示を省略する。
【０１０８】
なお、ステップＳ１３２の処理は、変更例２に係る図７のフローチャートに示されたステップＳ１２２の処理に同じである。
【０１０９】
ステップＳ１３１において、ＣＰＵ１００は、撮影方向Ｖが、水平面方向を含む所定の範囲に含まれるか否かを判定する。具体的には、ＣＰＵ１００は、ステップＳ１０３において検出された撮影方向Ｖの傾き角θが、所定閾値θ１（たとえば３０°）以下、すなわちθ≦θ１であるか否かを判定する。
【０１１０】
ここで、閾値θ１は、通常ユーザが通常の使用態様にて撮影を行う際における、想定される傾き角θの上限程度の値に設定される。閾値θ１は、たとえば１０°〜６０°程度の範囲内の値に設定できる。閾値θ１は、盗撮行為を抑制することを優先して、小さく設定されてよい。また、閾値θ１は、撮影の利便性を優先して、大きく設定されてもよい。
【０１１１】
傾き角θが閾値θ１以下である場合（θ≦θ１。Ｓ１３１：ＹＥＳ）、ＣＰＵ１００は、撮影ボタン２０１の位置を初期位置へ戻し（Ｓ１３２）、さらにステップＳ１０５の処理へ進む。
【０１１２】
傾き角θが閾値θ１を超える場合（θ＞θ１。Ｓ１３１：ＹＥＳ）、ＣＰＵ１００は、取得した傾き角θに応じて、撮影ボタン２０１を移動し（Ｓ１０４）、さらにステップＳ１０５の処理へ進む。
【０１１３】
このように、本変更例の構成では、傾き角θが閾値θ１を超えるまで撮影方向Ｖが上方向に傾かなければ、撮影ボタン２０１は、初期位置に維持される。
【０１１４】
以上、本変更例の構成によれば、ＣＰＵ１００は、所定の判定条件が満たされる場合、すなわち、撮影方向Ｖが水平面から上方向に傾く傾き角θが閾値θ１を越える場合、ＣＰＵ１００は、撮影ボタン２０１の位置を傾き角θに対応する位置に変化させる。傾き角θが閾値θ１を越えない場合、ＣＰＵ１００は、撮影ボタン２０１の移動を中止するとともに、撮影ボタン２０１を初期位置に位置付ける。
【０１１５】
たとえば、盗撮を試みる者が女性のスカート内を盗撮しようとする場合など、盗撮が懸念されるような、撮影方向Ｖが上に傾く状態で撮影が行われる場合には、撮影ボタン２０１は移動する。その一方で、撮影方向Ｖが上に傾く状態に比較して盗撮の懸念が高くない場合には、撮影ボタン２０１の移動が中止される。
【０１１６】
よって、盗撮の可能性が低いい場合における、撮影の利便性が良好に保たれる。
【０１１７】
＜変更例５＞
上記変更例４における撮影方向Ｖに基づいて撮影ボタン２０１の移動を中止させる構成は、以下に説明するように、上記変更例１（図５参照）にも適用可能である。
【０１１８】
図９（ｂ）は、変更例５に係る、静止画像の撮影のための処理手順を示すフローチャートである。図９（ｂ）のフローチャートでは、図５のフローチャートにおけるステップＳ１１１の前段にステップＳ１３３の処理とステップＳ１３１の判定処理とが挿入され、さらに、ステップＳ１３１の判定処理に続いて実行されるステップＳ１３２の処理が追加される。なお、図９（ｂ）のフローチャートにおいては、ステップＳ１１１、Ｓ１１２、Ｓ１３１〜Ｓ１３３以外の処理は図示を省略する。
【０１１９】
なお、ステップＳ１３１とＳ１３２の処理は、それぞれ、変更例４に係る図９（ａ）のフローチャートに示されたステップＳ１３１、Ｓ１３２の処理に同じである。また、ステップＳ１３３の処理は、実施の形態に係る図３のフローチャートに示されたステップＳ１０３の処理に同じである。
【０１２０】
ステップＳ１３３において、ＣＰＵ１００は、傾き角θを取得し（Ｓ１３３）、ステップＳ１３１の判定処理へ進む。
【０１２１】
上記変更例４と同様に、ステップＳ１３１において、ＣＰＵ１００は、撮影方向Ｖが水平面方向を含む所定の範囲に含まれるか否か、すなわちθ≦θ１であるか否かを判定する。
【０１２２】
θ≦θ１である場合（Ｓ１３１：ＹＥＳ）、撮影ボタン２０１の位置を初期位置へ戻し（Ｓ１３２）、さらにステップＳ１０５の処理へ進む。
【０１２３】
θ＞θ１である場合（Ｓ１３１：ＮＯ）、ＣＰＵ１００は、所定時間（Ｔ秒）経過する毎に撮影ボタン２０１を不規則的に移動させ（Ｓ１１１、Ｓ１１２）、さらにステップＳ１０５の処理へ進む。
【０１２４】
以上、本変更例の構成によれば、上記変更例５と同様、盗撮の懸念が高くない場合における、撮影の利便性が良好に保たれる。
【０１２５】
＜変更例６＞
図１０は、変更例６に係る、静止画像の撮影のための処理手順を示すフローチャートである。図１０のフローチャートでは、上記実施の形態に係る図３のフローチャートにおけるステップＳ１０６の処理が、ステップＳ１４１〜Ｓ１４４の処理に置き換えられる。な
お、図１０のフローチャートにおいては、ステップＳ１０７、Ｓ１４１〜Ｓ１４４以外の図示は省略する。
【０１２６】
なお、ステップＳ１４１、Ｓ１４３の処理は、それぞれ、図３のフローチャートに示されたステップＳ１０３、Ｓ１０６の処理に同じである。
【０１２７】
ステップＳ１０５の処理の後、ＣＰＵ１００は、撮影方向Ｖの傾き角θを取得し（Ｓ１４１）、ステップＳ１４２の処理へ進む。
【０１２８】
ステップＳ１４２において、ＣＰＵ１００は、傾き角θが、所定閾値θ２（たとえばθ２＝θ１。または１０°〜４５°程度）以下、すなわちθ≦θ２であるか否かを判定する。
【０１２９】
θ≦θ２である場合（Ｓ１４２：ＹＥＳ）、ＣＰＵ１００は、周囲へ撮影が行われていることを通知する通常の撮影音をスピーカ１５ａから再生し（Ｓ１４３）、ステップＳ１０７の処理へ進む。ここで、「通常の撮影音」は、図３のステップＳ１０３において再生される撮影音と同様の撮影音を指し、以下に説明する、通常とは異なる撮影音（Ｓ１４４参照）と区別される。
【０１３０】
θ≦θ２ではない場合（Ｓ１４２：ＮＯ）、ＣＰＵ１００は、通常とは異なる撮影音をスピーカ１５ａから再生し（Ｓ１４４）、ステップＳ１０７の処理へ進む。ここで、通常とは異なる撮影音は、現在撮影が行われていることを、周囲へより確実に通知するための、音声である。通常とは異なる撮影音は、たとえば、上記の通常の撮影音において音量を大きくした撮影音、周囲の注意を引くための警告音、アナウンス音声（たとえば「写真を撮りました。」）等である。
【０１３１】
以上、変更例の構成によれば、ＣＰＵ１００は、傾き角θが閾値θ２を越えた状態で撮影ボタン２０１が操作されたときの撮影音を、傾き角θが閾値θ２を越えない状態で撮影ボタン２０１が操作されたときの撮影音と相違させる。上記構成により、携帯電話機１の周囲へ、現在撮影が行われていることをより確実に通知することができる。
【０１３２】
このような構成が採られることにより、女性のスカート内を盗撮すること等の盗撮行為が懸念されるような、撮影方向Ｖが上に傾く状態で撮影が行われた場合には、通常とは異なる撮影音が再生される。通常とは異なる撮影音の再生により、周囲の注意を強く引くこととなる。このため、盗撮行為が効果的に抑制される。
【０１３３】
なお、本変更例の構成は、上記変更例１〜５へも適用可能である。
【０１３４】
＜その他＞
以上、本発明の実施の形態および変更例について説明したが、本発明は、上記実施の形態等によって何ら制限されるものではなく、また、本発明の実施の形態も、上記以外に種々の変更が可能である。
【０１３５】
上記実施の形態および変更例１〜６では、撮影ボタン２０１が移動する構成が採られているが、撮影ボタン２０１の位置に限らず、撮影ボタン２０１の大きさ、形状、等、撮影ボタン２０１に係る各種の配置が変化するよう構成できる。たとえば、上記実施の形態に、撮影ボタン２０１の大きさを変更するよう撮影ボタン２０１の配置を変化させる構成を採ることができる。たとえば、図１１に示す如く、撮影ボタン２０１の配置領域である表示面１１ｃにおいて、撮影方向Ｖが水平面から上に傾く角度（傾き角θ）に応じて、撮影ボタン２０１が、移動するとともに縮小される構成が採られてもよい。撮影ボタン２０１
の大きさは変更するが移動はさせない構成が採られてもよい。この場合、上に傾く角度が大きくなるほど、撮影ボタン２０１の大きさが小さくされることにより、目視なしで撮影ボタン２０１が押下され難くなる。
【０１３６】
上記実施の形態および変更例１〜６において説明された、撮影ボタン２０１の配置を変化させるための処理は、スピーカ１５ａから撮影音が再生されないよう設定されているときのみ実行されてもよい。この場合、携帯電話機１による撮影が行われていることの周囲への通知は、撮影音が再生されるよう設定されている場合には当該撮影音によりなされ、撮影音が再生されないよう設定されている場合には、撮影ボタン２０１の配置の変化が抑制される。
【０１３７】
また、変更例２〜５において、スピーカ１５ａから撮影音が再生されるよう設定されているとき、所定の判定条件が満たさない場合（Ｓ１３１：ＮＯ、Ｓ２１：ＮＯ）には撮影音が再生され、所定の判定条件が満たされる場合には（Ｓ１３１：ＹＥＳ、Ｓ２１：ＹＥＳ）撮影音が再生されないよう構成できる。
【０１３８】
上記変更例２〜５において、所定の判定条件（Ｓ１２１、Ｓ１３１）が満たされる場合、撮影ボタン２０１の配置の変化が抑制されるともに、その配置が初期状態へ戻る。しかしながら、配置が初期状態へ戻されない構成が採られてもよい。たとえば、変更例２、３に係るフローチャート（図７、図８）において、ステップＳ１２２を削除した構成が採られてもよい。このような構成が採られる場合において、撮影ボタン２０１の配置の変化が抑制されたとき（Ｓ１２１：ＹＥＳ）、撮影ボタン２０１の配置が、変化が抑制された時の状態に保たれる。つまり、撮影ボタン２０１の位置が、移動が中止された時の位置に保たれる。同様に、変更例４、５に係るフローチャート（図９（ａ）、９（ｂ））において、ステップＳ１３２を削除した構成が採られてもよい。
【０１３９】
上記実施の形態および変更例１〜６において、撮影ボタン２０１は、常に表示面１１ｃにおいて画像として表示される構成が採られる。しかしながら、撮影ボタン２０１は、いわゆるボタンやアイコン等の画像として常時に表示面１１ｃに表示される必要はない。
【０１４０】
たとえば、上記実施の形態に係る図３のフローチャートにおけるステップＳ１０２の処理に替えて、撮影画像が表示される画像表示領域を撮影のための操作を受け付ける領域とするよう構成できる。この構成において、撮影ボタン２０１は、初期設定において不可視とされ、画像表示領域全体が撮影ボタン２０１とされる。画像表示領域上には、撮影ボタン２０１の画像は表示されず撮影画像が表示される。また、この構成におけるステップＳ１０４において、傾き角θが所定閾値（たとえば３０°）以上である場合に、上記実施の形態で説明されたのと同様の撮影ボタン２０１の画像が表示される構成が採られる。たとえば、図１２の表示に示す如く、θ≦θ１であるときには（左側の列）、表示面１１ｃにおける画像表示領域２０２に対する操作（タップ）が、撮影のための操作として受け付けられ、θ＞θ１であるときには（中央および右側の列）、図４を用いて説明されたときと同様に撮影ボタン２０１の位置が変化する。
【０１４１】
また、携帯電話機１の撮影方向Ｖが略真上を向く状態（傾き角θ≒９０°）において、撮影のための撮影ボタン２０１に対する操作が受け付けないよう、表示面１１ｃにおいて撮影ボタン２０１を消去する構成が採られてもよい。
【０１４２】
上記変更例２と変更例４の構成は、互いに組み合わせることが可能である。たとえば、図９（ａ）に示すステップＳ１３１の判定処理に替えて、図１３（ａ）のフローチャートに示す如く、撮影画像から顔が検出されるか、またはθ≦θ１であるか否かを判定する処理（Ｓ１５１）が実行されてもよい。同様に、上記変更例３と変更理恵５の構成は、互い
に組み合わせることが可能である。たとえば、図９（ｂ）に示すステップＳ１３１の判定処理に替えて、図１３（ａ）のフローチャートに示す如く、撮影画像から顔が検出されるか、またはθ≦θ１であるか否かを判定する処理（Ｓ１５１）が実行されてもよい。このように、撮影ボタン２０１の配置の変化を抑制するための判定条件は、ＡＮＤ、ＯＲ、ＮＯＴ等の論理演算子で各種の条件を組み合わせて構成されることができる。判定条件を構成する各条件は、盗撮を目的としない撮影が行われている蓋然性が高い場合を検出する条件、盗撮の可能性が低い場合を検出する条件等、各種の条件が適宜選択されてよい。
【０１４３】
上記実施の形態および変更例１〜６において、撮影ボタン２０１が設けられる領域（配置領域）は表示面１１ｃであるが、撮影ボタン２０１が設けられる領域を、表示面１１ｃと異なる領域とする構成が採られてもよい。たとえば、撮影ボタン２０１は、図１４に示す如く、ハードキーとして構成されてもよい。図１４の表示に示す如く、キャビネット１０に、ハードキーであるテンキー２０３をさらに備える折りたたみ式の携帯電話機１において、変更例１の構成が適用されることができる。この場合、テンキー２０３が配される領域が撮影ボタン２０１を配置するための領域であり、テンキー２０３の何れかのキーを撮影ボタン２０１とするよう設定する構成が採られる。なお、カメラモジュール１６は、上記テンキー２０３が向く方向と反対の方向を向くよう配されている。図１４の表における左側（０秒後）、中央（Ｔ秒後）、および右側（２Ｔ秒後）の列は、それぞれ、撮影ボタン２０１が、「４」キー、「２」キー、「９」キーへとＴ秒毎に移動する例を示す。ＣＰＵ１００は、所定時間（Ｔ秒）毎にテンキー２０３の何れかのキーを撮影ボタン２０１とするよう設定することにより撮影ボタン２０１を移動させるとともに、撮影ボタン２０１の配置を通知するテキスト２０４を表示面１１ｃに表示する。なお、撮影ボタン２０１に設定されたキーに配されるキーバックライトを点灯（図１４参照）させることにより、撮影ボタン２０１の位置が通知されてもよい。また、テキスト２０４が表示されず、キーバックライトの点灯により撮影ボタン２０１の位置が通知される構成が採られてもよい。
【０１４４】
なお、上記の折りたたみ式の携帯電話機１において、上述の如くテンキーが撮影ボタン２０１を配置するための領域とする構成に替えて、または当該構成に加えて、当該携帯電話機１の表示面１１ｃに表示された撮影ボタン２０１（の画像）の配置が変化する構成が採られてもよい。この構成によっても、撮影ボタン２０１の配置領域を構成する表示面１１ｃが、通常の撮影の際にカメラモジュール１６が向く方向と反対の方向を向くよう配置されるため、ユーザは表示面１１ｃに表示される撮影ボタン２０１を視認することにより撮影のための操作を行える。また、撮影ボタン２０１の画像の配置が変化することにより盗撮を防止できる。
【０１４５】
なお、携帯電話機１は、撮影ボタン２０１の配置領域が撮影方向Ｖと反対の方向を常に向くよう構成されている必要はない。たとえば、上記の折りたたみ式の携帯電話機１に、本発明を適用できる。この場合、携帯電話機１が折り畳まれた状態にあるときには、撮影ボタン２０１の配置領域が撮影方向Ｖと反対の方向を向かない。
【０１４６】
また、撮影ボタン２０１が配置される配置領域は、表示面１１ｃやテンキー２０３上に限らず、たとえばその他のハードキーまたはソフトキーが配される領域を含むよう構成されてもよい。
【０１４７】
上記実施の形態および変更例２〜５では、所定の判定条件が満たされた場合において、撮影ボタン２０１の配置の変化（移動）が中止されるが、たとえば撮影ボタン２０１の移動の距離を小さく設定する、移動の時間間隔を大きく設定する等、変化が中止はされないが抑制される構成が採られてもよい。
【０１４８】
上記実施の形態および変更例１〜６では、カメラモジュール１６は、撮影方向Ｖと表示
面１１ｃとが互いに反対の方向を向くよう配される。しかしながら、カメラモジュール１６は、表示面１１ｃが向く方向と撮影方向Ｖとが略同一となるような位置に備えられてもよい。たとえば、表示面１１ｃと同一面上に備えられてもよい。この構成が採られた場合も、撮影ボタン２０１の配置が変化することにより、盗撮を試みる者が撮影ボタン２０１に対する操作を行うことが難しくなるため、盗撮行為が抑制される。
【０１４９】
さらに、本発明は、静止画の撮影のためのアプリケーションに限らず、動画の撮影のためのアプリケーションにも適用可能である。たとえば、動画の撮影のためのアプリケーションが実行される際、ＣＰＵ１００が録画を開始するためのボタンを表示面１１ｃへ表示し、当該ボタンを移動させる等、ボタンの配置を変化させる構成が可能である。また、上記実施の形態および変更例１〜６の各構成を、当該ボタンの変化に対しても適用できる。
【０１５０】
上記実施の形態では、スマートフォン型の携帯電話機に本発明が適用されている。しかしながら、これに限らず、ストレート式、折りたたみ式、スライド式等、他のタイプの携帯電話機に本発明が適用されてもよい。
【０１５１】
さらに、本発明は、携帯電話機に限られず、デジタルカメラ、デジタルビデオカメラ、ＰＤＡ（Personal Digital Assistant）、タブレットＰＣ（TabletPC）等のカメラ機能付き機器に適用可能である。
【０１５２】
この他、本発明の実施の形態は、特許請求の範囲に示された技術的思想の範囲内において、適宜、種々の変更が可能である。
【符号の説明】
【０１５３】
１  携帯電話機  （カメラ機能付き機器）
１１ｃ  表示面  （表示面、配置領域）
１２  タッチセンサ  （入力部）
１５ａ  スピーカ  （出力部）
１６  カメラモジュール  （撮影部）
１００  ＣＰＵ  （制御部、傾き検出部、顔検出部、出力部）
１０１  メモリ  （記憶部）
２０１  撮影ボタン  （操作部）
１０８  加速度センサ  （傾き検出部）
Ｖ  撮影方向
θ  傾き角  （傾き、傾き角）
θ１  閾値  （第１の閾値）
θ２  閾値  （第２の閾値、閾値）
【図１】
0005865034.tif 000002
【図２】
0005865034.tif 000003
【図３】
0005865034.tif 000004
【図４】
0005865034.tif 000005
【図５】
0005865034.tif 000006
【図６】
0005865034.tif 000007
【図７】
0005865034.tif 000008
【図８】
0005865034.tif 000009
【図９】
0005865034.tif 000010
【図１０】
0005865034.tif 000011
【図１１】
0005865034.tif 000012
【図１２】
0005865034.tif 000013
【図１３】
0005865034.tif 000014
【図１４】
0005865034.tif 000015